(57)【要約】【課題】従来の飲料容器の表装は飲料名や図柄のみであるため、その表装の一部に手書き文字で様々なメッセージを書き込める手書き表示欄を設けてなるメッセージ飲料容器を提供する。【解決手段】酒類を入れる瓶容器２であり、その瓶容器２に、酒の名称や図柄を表示したラベル表装３面の一部にハート形の書き込み枠線４を設け、その書き込み枠線４の内側スペースを書き表示欄５とするラベル表装３を、前記瓶容器２の周囲に貼り付けてなるメッセージ飲料容器１を構成する。【選択図】図１
2009249039.tif 000002
【特許請求の範囲】
【請求項１】
各種飲料を収納する容器の表装面に手書き文字を表記できる飲料容器であって、前記飲料容器の表装の一部に、一定の文字数を表示できる書き込み枠線による手書き表示欄を設けてなる構成を特徴とするメッセージ飲料容器。
【請求項２】
前記する書き込み枠線による手書き表示欄を、プリント表装に設けてなる請求項１に記載するメッセージ飲料容器。
【請求項３】
前記する書き込み枠線による手書き表示欄を、フイルム表装に設けてなる請求項１に記載するメッセージ飲料容器。
【発明の詳細な説明】
【技術分野】
【０００１】  本発明は、酒や洋酒、ビール、ワインなどの酒類や各種ジュースやコーヒーを収納する瓶又は缶又はパックなどの飲料容器の表装面に、手書きで書き込めるメッセージ欄を設けた飲料容器に関する。
【背景技術】
【０００２】  従来より、酒や洋酒、ビールなどは一日の仕事が終わった後や祝事はもとより、日々、の生活でも大人の飲料として飲まれることは日常的である。またジュースやコーヒー、牛乳、果汁類などは、大人はもとより子供にも親しまれている飲料であるが、それらの飲料容器の表装は様々な商品名の他、図柄や色彩も豊富であるので、ユーザーは商品名を見て選ばなくても好みの飲料が分かるが、それ以上の効果や期待が持てるものではなかった。【０００３】  また、飲料用の瓶類を宣伝媒体として使えるように、容器の一部にカード類を挿入できる薄い通孔部を設け、その通孔部に宣伝カード類を入れることで、従来には見られない瓶容器の規制概念を打破した広告媒体の機能を有す瓶容器の技術がある。（例えば、特許文献１参照）
【特許文献１】特開２００６−１５８５公報
【発明の開示】
【発明が解決しようとする課題】
【０００４】  前記するようにアルコールやジュース類など各種飲料は様々な容器に収納されたタイプが提供され、ユーザーはそれぞれ好みの飲料を選んで楽しんでいる。また、それらの飲料容器の表装も美しく様々であるが、飲料の種類や選別の目安や装飾目的以外に取り立ててそれ以上の効果がない。【０００５】  さらに、特開２００６−１５８５公報に開示される技術は、透明な容器の一部に、内部に突き出る薄い通孔部を設け、その通孔部に宣伝や装飾のカード類を入れることで宣伝やメッセージを伝えられるユニークな容器である。しかし、そのような瓶容器を作ることは難しいうえ、製造されたとしても極めてコスト高になり、実際に市場に提供するには無理がある技術であった。
【課題を解決するための手段】
【０００６】  本発明は、前記するような従来の飲料容器が持つ不便や欠点を解消するために、請求項１においては、前記飲料容器の表装の一部に、一定の文字数を表示できる書き込み枠線による手書き表示欄を設けことにより、特定の宴会においてはスローガンを書いたり、親しい友人や知人と飲食には喜びの言葉、初めての人との場合は感謝や挨拶の言葉、またトラブルした人との場合はお詫びの言葉など、それぞれ相手に応じたメッセージを手書きできることで、口では上手く言えないまでもコミニュケーションの糸口を図れるメッセージ飲料容器を構成する。【０００７】  請求項２においては、前記する書き込み枠線による手書き表示欄をプリント表装に設けることで、缶容器類や紙パック類に対応できるメッセージ飲料容器とする。【０００８】  請求項３においては、前記する書き込み枠線による手書き表示欄をフイルム表装に設けることで、ペットボトル類に対応できるメッセージ飲料容器とする。
【発明の効果】
【０００９】  本発明によるメッセージ飲料容器は、瓶、缶、紙パック、ペットボトルなどの飲料容器の表装面の一部に、ハート形や楕円状の書き込み枠線による一定数の文字を書ける手書き表示欄を設けているので、必要な折はこの手書き表示欄内に、マジックペンやボールペンを用いて、このメッセージ飲料を贈る相手や、また一緒に飲食する相手に応じたメッセージやイラストなどを書き込める、従来には見られないユニークな飲料容器を提供する。【００１０】  従来は楽しい飲食時であっても単に酒やビールを収めた飲料容器にすぎなかったにも関わらず、本発明による飲料容器であれば、口下手な人でもその場の雰囲気や目的、相手によって様々な言葉やメッセージを個性ある手書きの文字やイラストを書き込めるので、人柄や親しみを感じて会食を一層楽しく想い出深いものに演出できるため、若者においては異性への愛が生まれたり、子供や近所の集まりにおいては、仲良し雰囲気や知り合い度を高められる要素を期待できるメッセージ飲料容器ともなる。【００１１】  さらに、最近の日常会話やコミニュケーションは携帯電話による会話も多いが、メール会話がきわめて多くなっている。ただこの方法は人を傷付けるメールもうっかり送ることもあるし、直接相手の声を聞いたり会って話す機会が少なくなっているため、生のコミニュケーションが大変希薄になり人と会話することを苦手とする人が多い。本発明による飲料容器であれば、口下手になっている人とのコミニュケーションを補うことができるうえ、人と人をより親密に結び付ける懸け橋にもなりうるユニークにして楽しく話題性を提供できるメッセージ飲料容器となる。
【発明を実施するための最良の形態】
【００１２】  本発明によるメッセージ飲料容器の第１実施形態を、図１に示す斜視図と図２に示す表装紙の展開図で説明する。
この発明によるメッセージ飲料容器１の第１実施形態は、日本酒や洋酒などの酒類を入れる瓶容器２であり、図示するものは日本酒の瓶容器２とし、その瓶容器２の周囲に、酒の名称や図柄を表示したラベル表装３面の一部に、ハート形の書き込み枠線４を設け、その書き込み枠線４の内側スペースを手書き表示欄５とするラベル表装３を、前記瓶容器２の周囲に貼り付けてなるメッセージ飲料容器１構成とする。【００１３】  第１実施形態によるメッセージ飲料容器１は、酒類など入れる瓶容器２の周囲に貼り付けたラベル表装３の一部に、適度な文字数を書き込みできる手書き表示欄５を形成する書き込み枠線４を設けているので、贈り物として使う場合は、図２に示すように手書きで先日は本当にありがとうございました！と言うように御礼のメッセージＡとともに名前を書き添えたり、また親しい仲間内で開く飲み会などにおいては関連あるメッセージや夢を、トラブルした人と飲食する場合は言いにくい謝罪の言葉などを、ハート形の書き込み枠線４の手書き表示欄５内にマジックペンやボールペン、毛筆などにより書き込んだうえでお酒を飲むことができるメッセージ飲料容器１となる。【００１４】  第２実施形態のメッセージ飲料容器を、図３に示す斜視図で説明する。
第２実施形態によるメッセージ飲料容器１は、ビールやコーヒーその他の飲料用としていられる缶容器６とし、その缶容器６の表装は、飲料容器本体の外周面に印刷されるプリント表装７とし、そのプリント表装７面の一部に、適度な文字数を書き込める楕円状の手書き表示欄５を形成する書き込み枠線４を設けてなるメッセージ飲料容器１を構成する。【００１５】  第２実施形態によるメッセージ飲料容器１は、缶容器６の外周表面に表示されたプリント表装７面の一部に手書き表示欄５を形成する書き込み枠線４を設けているので、前記第１実施形態と同様に任意のメッセージを書き込める缶容器６となる。【００１６】  第３実施形態のメッセージ飲料容器を、図４に示す斜視図で説明する。
第３実施形態によるメッセージ飲料容器１は、酒類や果汁類、牛乳などに用いられる紙パック容器８であり、その紙パック容器８本体周囲に表示したプリント表装７の一部に、円形の書き込み枠線４による手書き表示欄５を形成して、前記第２実施形態と同様のプリント表装７タイプのメッセージ飲料容器１を構成する【００１７】  第３実施形態によるメッセージ飲料容器１は紙パック容器８あり、その周囲のプリント表装７面には、前記タイプ同様に適度な文字数を書き込める円形の書き込み枠線４による手書き表示欄５を設けており、文字はとり分け書きやすい紙パック容器８である。【００１８】  第４実施形態によるメッセージ飲料容器を、図５に示す斜視図で説明する。
本実施形態におけるメッセージ飲料容器１は、飲料水や清涼飲料、ジュース類に用いるペットボトル容器９であり、そのペットボトル容器９の外周を覆う薄いフイルム面に、飲料の名称や図柄模様を表示してなるフイルム表装１０面の一部に、適度な文字数を書き込める書き込み枠線４による手書き表示欄５を設けてなるフイルム表装紙１０を、前記ペットボトル容器９の全周に巻き付けてなるメッセージ飲料容器１を構成する。【００１９】  第４実施形態におけるメッセージ飲料容器１はペットボトル容器９であるが、前記各実施形態と同様に、書き込み枠線４による手書き表示欄５を設けているので、前記タイプ同様にメッセージを自由に書き込めるペットボトル容器９となる。【００２０】  以上のような構成であるが、本発明における書き込み枠線４の形や大きさ、設ける位置は任意でよく、またシール状の手書き表示欄５を貼り付けたタイプでも構わない。
【図面の簡単な説明】
【００２１】
【図１】本発明のメッセージ飲料容器の第１実施形態を示す正面図である。
【図２】第１実施形態のメッセージ飲料容器のラベル表装を示す拡大展開図である。
【図３】第２実施形態のメッセージ飲料容器を示す斜視図である。
【図４】第３実施形態のメッセージ飲料容器を示す斜視図である。
【図５】第４実施形態のメッセージ飲料容器を示す斜視図である。
【符号の説明】
【００２２】１  メッセージ飲料容器
２  瓶容器
３  ラベル表装
４  書き込み枠線
５  手書き表示欄
６  缶容器
７  プリント表装
８  紙パック容器
９  ペットボトル容器
１０  フイルム表装
Ａ  メッセージ
【図１】
2009249039.tif 000003
【図２】
2009249039.tif 000004
【図３】
2009249039.tif 000005
【図４】
2009249039.tif 000006
【図５】
2009249039.tif 000007